(57)【要約】【課題】本発明は照明システム及び投影装置に関する。【解決手段】照明システムは光源アセンブリを含み、光源アセンブリは第一励起光源、第二励起光源、ダイクロイック素子、波長変換素子、第一コリメータ素子及び第二コリメータ素子を含む。第一及び第二励起光源はそれぞれ第一励起光束と第二励起光束を提供する。ダイクロイック素子は第一と第二起光源の間に配置され、第二励起光束がダイクロイック素子を経由して第一励起光源へ伝送される。波長変換素子は第一励起光源とダイクロイック素子との間に配置され、第一と第二励起光束を波長変換光束に変換し、かつ波長変換光束をダイクロイック素子へ伝送する。第一コリメータ素子は波長変換素子とダイクロイック素子の間に配置され、第二コリメータ素子は第二励起光源とダイクロイック素子の間に配置される。この照明システムはエタンデューを変えることなく、波長変換光束の光エネルギーを向上させることができる。【選択図】図１
2017058656.tif 000002
【特許請求の範囲】
【請求項１】
照明システムであって、
前記照明システムは光源アセンブリを含み、
前記光源アセンブリは、
第一励起光束を提供する第一励起光源と、
第二励起光束を提供する第二励起光源と、
前記第一励起光源と前記第二励起光源との間に配置されたダイクロイック素子と、
前記第一励起光源と前記ダイクロイック素子との間に配置され、前記第一励起光束と前記第二励起光束を波長変換光束に変換し、かつ前記波長変換光束を前記ダイクロイック素子へ伝送する波長変換素子と、
前記波長変換素子と前記ダイクロイック素子との間に配置された第一コリメータ素子と、
前記第二励起光源と前記ダイクロイック素子との間に配置された第二コリメータ素子とを含み、
前記第一励起光束と前記第二励起光束が同じ色であり、
前記第二励起光束が前記ダイクロイック素子を経由して前記第一励起光源へ伝送されることを特徴とする照明システム。
【請求項２】
前記第一コリメータ素子と前記第二コリメータ素子の構造が同じであり、かつ前記第二励起光束が前記第二励起光源から前記ダイクロイック素子までの光路の長さは、前記波長変換光束が前記波長変換素子から前記ダイクロイック素子までの光路の長さに等しいことを特徴とする、請求項１に記載の照明システム。
【請求項３】
前記第二励起光源の出光面の形状及び面積が前記波長変換素子の出光面の形状及び面積と同じであることを特徴とする、請求項２に記載の照明システム。
【請求項４】
前記照明システムはさらにインテグレータロッドを含み、前記波長変換光束が前記ダイクロイック素子を経由して前記インテグレータロッドまで伝送され、前記インテグレータロッドの入光端の面積と前記波長変換素子の前記出光面の面積との比率が０.９から１.１の間にあることを特徴とする請求項３の照明システム。
【請求項５】
前記照明システムはさらにレンズアレイを含み、前記波長変換光束が前記ダイクロイック素子を経由して前記レンズアレイまで伝送されることを特徴とする請求項３の照明システム。
【請求項６】
前記第一励起光源と前記第二励起光源が前記ダイクロイック素子の両側に配置され、かつ前記ダイクロイック素子は前記第二励起光束を通過させるとともに、前記波長変換光束を反射することを特徴とする請求項１に記載の照明システム。
【請求項７】
前記照明システムはさらに、前記ダイクロイック素子に反射された前記波長変換光束の伝送経路上に配置されたカラーホイールを含むことを特徴とする請求項６に記載の照明システム。
【請求項８】
前記第一励起光束と前記第二励起光束が紫外光であり、前記波長変換光束が白色光であることを特徴とする請求項７に記載の照明システム。
【請求項９】
前記第一励起光束と前記第二励起光束が青色光であり、前記波長変換光束が黄色光であり、
かつ、前記照明システムはさらに第一青色光束を提供する青色光源アセンブリを含み、前記青色光源アセンブリと前記第二励起光源が前記ダイクロイック素子の同一側に配置され、前記第一青色光束が前記ダイクロイック素子を通過して前記波長変換光束と混合することにより、前記カラーホイールまで伝送される白色光束になることを特徴とする請求項７に記載の照明システム。
【請求項１０】
前記第一励起光源と前記第二励起光源は前記ダイクロイック素子の同一側に配置され、かつ前記ダイクロイック素子が前記第二励起光束を反射するとともに、前記波長変換光束を通過させることを特徴とする請求項１に記載の照明システム。
【請求項１１】
前記照明システムはさらに、前記ダイクロイック素子を通過した前記波長変換光束の伝送経路上に配置されたカラーホイールを含むことを特徴とする請求項１０に記載の照明システム。
【請求項１２】
前記第一励起光束と前記第二励起光束が紫外光であり、前記波長変換光束が白色光であることを特徴とする請求項１１に記載の照明システム。
【請求項１３】
前記第一励起光束と前記第二励起光束が青色光であり、前記波長変換光束が黄色光であり、
かつ、前記照明システムはさらに、前記ダイクロイック素子へ第二青色光束を提供する青色光源アセンブリを含み、前記青色光源アセンブリと前記第二励起光源が前記ダイクロイック素子の両側に配置され、前記第二青色光束が前記ダイクロイック素子に反射されて前記波長変換光束と混合することにより、前記カラーホイールまで伝送される白色光束になることを特徴とする請求項１１に記載の照明システム。
【請求項１４】
前記第一励起光束、前記第二励起光束と前記波長変換光束の色の組み合わせが、
（１）前記第一励起光束と前記第二励起光束が青色光であり、前記波長変換光束が緑色光である、
（２）前記第一励起光束と前記第二励起光束が青色光であり、前記波長変換光束が赤色光である、
（３）前記第一励起光束と前記第二励起光束が青色光であり、前記波長変換光束が黄色光である、
（４）前記第一励起光束と前記第二励起光束が紫外光であり、前記波長変換光束が白色光である組み合わせの中の一つであることを特徴とする請求項１に記載の照明システム。
【請求項１５】
前記波長変換素子が前記第一励起光源の上を被覆することを特徴とする請求項１に記載の照明システム。
【請求項１６】
前記波長変換素子と前記第一励起光源との間は一定の距離があり、前記距離が前記波長変換素子と前記ダイクロイック素子との距離以下であることを特徴とする請求項１に記載の照明システム。
【請求項１７】
照明システムであって、
前記照明システムは、第一色光束を提供する第一光源アセンブリ、第二色光束を提供する第二光源アセンブリ及び第三色光束を提供する第三光源アセンブリを含み、かつ前記第一色光束、前記第二色光束及び前記第三色光束が混合されて照明光束になり、
前記第一光源アセンブリは、
第一励起光束を提供する第一励起光源と、
第二励起光束を提供する第二励起光源と、
前記第一励起光源と前記第二励起光源との間に配置された第一ダイクロイック素子と、
前記第一励起光源と前記第一ダイクロイック素子との間に配置され、前記第一励起光束と前記第二励起光束を第一波長変換光束に変換し、かつ前記第一波長変換光束を前記第一ダイクロイック素子へ伝送する第一波長変換素子とを含み、
前記第一励起光束と前記第二励起光束が同じ色であり、
前記第二励起光束が前記第一ダイクロイック素子を経由して前記第一励起光源へ伝送され、
前記第一波長変換光束が前記第一色光束であることを特徴とする照明システム。
【請求項１８】
前記第二光源アセンブリは、
第三励起光束を提供する第三励起光源と、
第四励起光束を提供する第四励起光源と、
前記第三励起光源と前記第四励起光源との間に配置された第二ダイクロイック素子と、
前記第三励起光源と前記第二ダイクロイック素子との間に配置され、前記第三励起光束と前記第四励起光束を第二波長変換光束に変換し、かつ前記第二波長変換光束を前記第二ダイクロイック素子へ伝送する第二波長変換素子とを含み、
前記第三励起光束と前記第四励起光束が同じ色であり、
前記第四励起光束が前記第二ダイクロイック素子を経由して前記第三励起光源へ伝送され、
前記第二波長変換光束が前記第二色光束であることを特徴とする請求項１７に記載の照明システム。
【請求項１９】
前記第二ダイクロイック素子は前記第一ダイクロイック素子と前記第三光源アセンブリとの間に配置され、
前記第三色光束が前記第二ダイクロイック素子と前記第一ダイクロイック素子を順に通過し、
前記第三励起光源と前記第四励起光源が前記第二ダイクロイック素子の両側に配置され、
前記第二ダイクロイック素子は前記第四励起光束を通過させるとともに、前記第二色光束を前記第一ダイクロイック素子へ反射し、かつ前記第一ダイクロイック素子が前記第二色光束を通過させ、
前記第一励起光源と前記第二励起光源が前記第一ダイクロイック素子の両側に配置され、かつ前記第一ダイクロイック素子が前記第二励起光束を通過させるとともに、前記第一色光束を反射して、前記第一色光束、前記第二色光束及び前記第三色光束が混合されて前記照明光束になることを特徴とする請求項１８に記載の照明システム。
【請求項２０】
前記照明システムはさらに、前記第一ダイクロイック素子と前記第二ダイクロイック素子との間に配置された少なくとも一つのレンズを含むことを特徴とする請求項１９に記載の照明システム。
【請求項２１】
前記照明システムはさらに、前記第一光源アセンブリと前記第二光源アセンブリと前記第三光源アセンブリとの間に配置された光合成素子を含み、
前記第一光源アセンブリと前記第三光源アセンブリはそれぞれ前記光合成素子の対向する両側に配置され、前記光合成素子が前記第一色光束と前記第三色光束を反射するとともに、前記第二色光束を通過させて、前記第一色光束、前記第二色光束と前記第三色光束が混合されて前記照明光束になることを特徴とする請求項１８に記載の照明システム。
【請求項２２】
前記第一励起光源と前記第二励起光源は前記第一ダイクロイック素子の同一側に配置され、かつ前記第一ダイクロイック素子は前記第二励起光束を反射するとともに、前記第一色光束を通過させて前記光合成素子まで伝送し、
前記第三励起光源と前記第四励起光源は前記第二ダイクロイック素子の同一側に配置され、かつ前記第二ダイクロイック素子は前記第四励起光束を反射するとともに、前記第二色光束を通過させて前記光合成素子まで伝送することを特徴とする請求項２１に記載の照明システム。
【請求項２３】
前記第一光源アセンブリはさらに、前記第一波長変換素子と前記第一ダイクロイック素子との間に配置された第一コリメータ素子、及び、前記第二励起光源と前記第一ダイクロイック素子との間に配置された第二コリメータ素子を含み、
前記第二光源アセンブリはさらに、前記第二波長変換素子と前記第二ダイクロイック素子との間に配置された第三コリメータ素子、及び、前記第四励起光源と前記第二ダイクロイック素子との間に配置された第四コリメータ素子を含むことを特徴とする請求項１８に記載の照明システム。
【請求項２４】
投影装置であって、前記投影装置は光源アセンブリ、光均一化素子、ライトバルブ及び投影レンズを含み、
前記光源アセンブリは、
第一励起光束を提供する第一励起光源と、
第二励起光束を提供する第二励起光源と、
前記第一励起光源と前記第二励起光源との間に配置されたダイクロイック素子と、
前記第一励起光源と前記ダイクロイック素子との間に配置され、前記第一励起光束と前記第二励起光束を波長変換光束に変換し、かつ前記波長変換光束を前記ダイクロイック素子へ伝送する波長変換素子と、
前記波長変換素子と前記ダイクロイック素子との間に配置された第一コリメータ素子と、
前記第二励起光源と前記ダイクロイック素子との間に配置された第二コリメータ素子とを含み、
前記第一励起光束と前記第二励起光束が同じ色であり、
前記第二励起光束が前記ダイクロイック素子を経由して前記第一励起光源へ伝送され、
前記光均一化素子は前記波長変換光束の伝送経路上に配置され、前記ダイクロイック素子を経由して伝送されてきた前記波長変換光束を受け、
前記ライトバルブは前記波長変換光束の伝送経路上に配置され、前記光均一化素子を経由して伝送されてきた前記波長変換光束を受けて、かつ映像光束に変換し、
前記投影レンズは前記映像光束の伝送経路上に配置され、前記映像光束を投影することを特徴とする投影装置。
【発明の詳細な説明】
【技術分野】
【０００１】
本発明は照明システムに関し、特に波長変換素子を有する照明システム及び上記照明システムを有する投影装置に関する。
【背景技術】
【０００２】
固体光源投影機が有する光源システムとして、レーザ、発光ダイオード、レーザと発光ダイオードを合わせて使用するものなど三種類の光源システムがある。レーザ光源システムは通常は青色レーザに蛍光体ホイールを組み合わせたものであり、蛍光体ホイールが赤色光束を励起する蛍光体又は緑色光束を励起する蛍光体を含む。発光ダイオード光源システムは通常赤色光束を発する発光ダイオードモジュール、緑色光束を発する発光ダイオードモジュール及び青色光束を発する発光ダイオードモジュールを使用する。レーザと発光ダイオードを合わせて使用する光源システムは、青色レーザに蛍光体ホイールを組み合わせ、蛍光体ホイールが赤色光束を励起する蛍光体又は緑色光束を励起する蛍光体を含み、その他の色の光源が発光ダイオード又はその他の波長のレーザを使用する。
【０００３】
従来の技術はダイクロイックミラー（Ｄｉｃｈｒｏｉｃ  ｍｉｒｒｏｒ）を用いて、赤、緑、青三色の光源モジュールが提供する光束を合成させるが、ダイクロイックミラーの物理特性の制限により、赤、緑、青三色の光源モジュールをそれぞれ一つしか備えられない。映像画面の輝度を向上させるため、各光源モジュールのパワー（ｐｏｗｅｒ）をアップさせるか、又は各光源モジュール中のレーザ若しくは発光ダイオードの数を増加させるしかないが、これによって以下の問題を引き起こす可能性がある。（１）単に光源モジュールのパワーをアップさせた場合、光電変換率が低下し、増加したパワーと増加した輝度のバランスを保てず、かつ輝度が飽和状態になり、パワーアップによって輝度を向上させ続けることができない。（２）レーザ又は発光ダイオードの数を増加させた場合、光源システム全体の長さ、幅、高さがこれに応じて大きくなり、光源システム全体の体積が大きくなる。（３）レーザ又は発光ダイオードの数の増加によりエタンデュー（ｅｔｅｎｄｕｅ）が増加し、エタンデューと投影機全体の設計構造の調和がとれなくなり又は上限に達した場合、レーザ又は発光ダイオードの数をいくら増やしても輝度を上げることができない。
【０００４】
“背景技術”は本発明の内容を理解するのを助けることのみが目的であり、従って“背景技術”が開示した内容には当業者が既知の公知技術以外のものが含まれている可能性がある。“背景技術”が開示した内容は上記内容又は本発明の一つ又は複数の実施例が解決しようとする課題を示すものではなく、また本発明がその出願前に既に当業者に把握又は認識されていたことを意味しない。
【発明の概要】
【発明が解決しようとする課題】
【０００５】
本発明は照明システムを提供し、照明システムが提供する光束の光エネルギー（ｏｐｔｉｃａｌ  ｐｏｗｅｒ）を向上させる。
【０００６】
本発明は三色光源アセンブリを含む別の照明システムを提供し、照明システムが提供する光束の光エネルギーを向上させる。
【０００７】
本発明は照明システムを提供し、エタンデューを変えることなく、波長変換光束の光エネルギーを向上させることができて、同時に該照明システムを用いた投影装置が映像画面をスクリーンに投影する全体輝度を向上させることが可能である。
【課題を解決するための手段】
【０００８】
本発明が開示する技術的特徴により、本発明のその他の目的と利点について一層理解を深めることができる。上記の一つ、一部若しくは全部の目的又はその他の目的を達成するため、本発明の一実施例が提供する照明システムは光源アセンブリを含み、該光源アセンブリが第一励起光源、第二励起光源、ダイクロイック素子、波長変換素子、第一コリメータ素子及び第二コリメータ素子を含む。第一励起光源は第一励起光束を提供し、第二励起光源は第二励起光束を提供し、第一励起光束と第二励起光束が同じ色である。ダイクロイック素子は第一励起光源と第二励起光源との間に配置され、第二励起光束がダイクロイック素子を経由して第一励起光源へ伝送される。波長変換素子は第一励起光源とダイクロイック素子との間に配置され、第一励起光束と第二励起光束を波長変換光束に変換し、かつ波長変換光束をダイクロイック素子へ伝送する。第一コリメータ素子は波長変換素子とダイクロイック素子との間に配置され、第二コリメータ素子は第二励起光源とダイクロイック素子との間に配置されている。
【０００９】
本発明の一実施例において、上記第一コリメータ素子と第二コリメータ素子の構造が同じであり、かつ第二励起光束が第二励起光源からダイクロイック素子までの光路の長さは、波長変換光束が波長変換素子からダイクロイック素子までの光路の長さに等しい。
【００１０】
本発明の一実施例において、上記第二励起光源の出光面の形状及び面積が波長変換素子の出光面の形状及び面積と同じである。
【００１１】
本発明の一実施例において、上記照明システムはさらにインテグレータロッドを含み、波長変換光束がダイクロイック素子を経由してインテグレータロッドまで伝送され、インテグレータロッドの入光端の面積と波長変換素子の出光面の面積との比率が０.９から１.１の間にある。
本発明の一実施例において、上記照明システムはさらにレンズアレイを含み、波長変換光束がダイクロイック素子を経由してレンズアレイまで伝送される。
【００１２】
本発明の一実施例において、上記第一励起光源と第二励起光源がダイクロイック素子の両側に配置され、かつダイクロイック素子は第二励起光束を通過させるとともに、波長変換光束を反射する。
本発明の一実施例において、上記照明システムはさらに、ダイクロイック素子に反射された波長変換光束の伝送経路上に配置されたカラーホイールを含む。
本発明の一実施例において、第一励起光束と第二励起光束が紫外光であり、波長変換光束が白色光である。
本発明の一実施例において、第一励起光束と第二励起光束が青色光であり、波長変換光束が黄色光であり、かつ、照明システムはさらに第一青色光束を提供する青色光源アセンブリを含み、該青色光源アセンブリと第二励起光源がダイクロイック素子の同一側に配置され、第一青色光束がダイクロイック素子を通過して波長変換光束と混合することにより、カラーホイールまで伝送される白色光束になる。
【００１３】
本発明の一実施例において、上記第一励起光源と第二励起光源はダイクロイック素子の同一側に配置され、かつダイクロイック素子が第二励起光束を反射するとともに、波長変換光束を通過させる。
本発明の一実施例において、上記照明システムはさらに、ダイクロイック素子を通過した波長変換光束の伝送経路上に配置されたカラーホイールを含む。
本発明の一実施例において、第一励起光束と第二励起光束が紫外光であり、波長変換光束が白色光である。
本発明の一実施例において、第一励起光束と第二励起光束が青色光であり、波長変換光束が黄色光であり、かつ、照明システムはさらに、ダイクロイック素子へ第二青色光束を提供する青色光源アセンブリを含み、該青色光源アセンブリと第二励起光源がダイクロイック素子の両側に配置され、第二青色光束がダイクロイック素子に反射されて波長変換光束と混合することにより、カラーホイールまで伝送される白色光束になる。
【００１４】
本発明の一実施例において、上記第一励起光束、第二励起光束と波長変換光束の色の組み合わせが、（１）第一励起光束と第二励起光束が青色光であり、波長変換光束が緑色光である、（２）第一励起光束と第二励起光束が青色光であり、波長変換光束が赤色光である、（３）第一励起光束と第二励起光束が青色光であり、波長変換光束が黄色光である、（４）第一励起光束と第二励起光束が紫外光であり、波長変換光束が白色光である組み合わせの中の一つである。
【００１５】
本発明の一実施例において、上記波長変換素子が第一励起光源の上を被覆する。
【００１６】
本発明の一実施例において、上記波長変換素子と第一励起光源との間は一定の距離があり、この距離が波長変換素子とダイクロイック素子との距離以下である。
【００１７】
本発明の別の実施例が提供する照明システムは、第一色光束を提供する第一光源アセンブリ、第二色光束を提供する第二光源アセンブリ及び第三色光束を提供する第三光源アセンブリを含み、かつ第一色光束、第二色光束及び第三色光束が混合されて照明光束になる。第一光源アセンブリは、第一励起光源、第二励起光源、第一ダイクロイック素子及び第一波変換素子を含む。第一励起光源は第一励起光束を提供し、第二励起光源は第二励起光束を提供し、第一励起光束と第二励起光束が同じ色である。第一ダイクロイック素子は第一励起光源と第二励起光源との間に配置され、第二励起光束が第一ダイクロイック素子を経由して第一励起光源へ伝送される。第一波長変換素子は第一励起光源と第一ダイクロイック素子との間に配置され、第一励起光束と第二励起光束を第一波長変換光束に変換し、かつ第一波長変換光束を第一ダイクロイック素子へ伝送し、第一波長変換光束が第一色光束である。
【００１８】
本発明の一実施例において、上記第二光源アセンブリは、第三励起光源、第四励起光源、第二ダイクロイック素子及び第二波長変換素子を含む。第三励起光源は第三励起光束を提供し、第四励起光源は第四励起光束を提供し、第三励起光束と第四励起光束が同じ色である。第二ダイクロイック素子は第三励起光源と第四励起光源との間に配置され、第四励起光束が第二ダイクロイック素子を経由して第三励起光源へ伝送される。第二波長変換素子は第三励起光源と第二ダイクロイック素子との間に配置され、第三励起光束と第四励起光束を第二波長変換光束に変換し、かつ第二波長変換光束を第二ダイクロイック素子へ伝送し、第二波長変換光束が第二色光束である。
【００１９】
本発明の一実施例において、上記第二ダイクロイック素子は第一ダイクロイック素子と第三光源アセンブリとの間に配置され、第三色光束が第二ダイクロイック素子と第一ダイクロイック素子を順に通過し、第三励起光源と第四励起光源が第二ダイクロイック素子の両側に配置され、第二ダイクロイック素子が第四励起光束を通過させるとともに、第二色光束を第一ダイクロイック素子へ反射し、かつ第一ダイクロイック素子が第二色光束を通過させる。第一励起光源と第二励起光源が第一ダイクロイック素子の両側に配置され、かつ第一ダイクロイック素子が第二励起光束を通過させるとともに、第一色光束を反射することにより、第一色光束、第二色光束及び第三色光束が混合されて照明光束になる。
本発明の一実施例において、上記照明システムはさらに、第一ダイクロイック素子と第二ダイクロイック素子との間に配置された少なくとも一つのレンズを含む。
【００２０】
本発明の一実施例において、上記照明システムはさらに、第一光源アセンブリと第二光源アセンブリと第三光源アセンブリとの間に配置された光合成素子を含み、第一光源アセンブリと第三光源アセンブリはそれぞれ光合成素子の対向する両側に配置され、光合成素子が第一色光束と第三色光束を反射するとともに、第二色光束を通過させることにより、第一色光束、第二色光束と第三色光束が混合されて照明光束になる。
本発明の一実施例において、第一励起光源と第二励起光源は第一ダイクロイック素子の同一側に配置され、かつ第一ダイクロイック素子は第二励起光束を反射するとともに、第一色光束を通過させて光合成素子まで伝送し、第三励起光源と第四励起光源は第二ダイクロイック素子の同一側に配置され、かつ第二ダイクロイック素子は第四励起光束を反射するとともに、第二色光束を通過させて光合成素子まで伝送する。
【００２１】
本発明の一実施例において、上記第一光源アセンブリはさらに、第一波長変換素子と第一ダイクロイック素子との間に配置された第一コリメータ素子、及び、第二励起光源と第一ダイクロイック素子との間に配置された第二コリメータ素子を含み、第二光源アセンブリはさらに、第二波長変換素子と第二ダイクロイック素子との間に配置された第三コリメータ素子、及び、第四励起光源と第二ダイクロイック素子との間に配置された第四コリメータ素子を含む。
【００２２】
本発明の一実施例が提供する投影装置は、光源アセンブリ、光均一化素子、ライトバルブ及び投影レンズを含み、光源アセンブリは第一励起光を提供する束第一励起光源を含む。第二励起光源は第二励起光束を提供し、第一励起光束と第二励起光束が同じ色である。ダイクロイック素子は第一励起光源と第二励起光源との間に配置され、第二励起光束がダイクロイック素子を経由して第一励起光源へ伝送される。波長変換素子は第一励起光源とダイクロイック素子との間に配置され、第一励起光束と第二励起光束を波長変換光束に変換し、かつ波長変換光束をダイクロイック素子へ伝送する。第一コリメータ素子は波長変換素子とダイクロイック素子との間に配置され、第二コリメータ素子は第二励起光源とダイクロイック素子との間に配置されている。光均一化素子は波長変換光束の伝送経路上に配置され、ダイクロイック素子を経由して伝送されてきた波長変換光束を受ける。ライトバルブは波長変換光束の伝送経路上に配置され、光均一化素子を経由して伝送されてきた波長変換光束を受けて、かつ映像光束に変換する。投影レンズは映像光束の伝送経路上に配置され、映像光束を投影する。
【００２３】
本発明の実施例の照明システムにおいて、光源アセンブリはそれぞれ励起光束を提供する二つの励起光源を有し、波長変換素子の対向する両側からそれぞれ波長変換素子を励起して波長変換光束を発光させるため、エタンデューを増加させることなく、波長変換光束の光エネルギーを向上させることができ、つまり本発明の照明システムが提供する光束の光エネルギーを向上させ、さらに投影装置が投影する映像画面の輝度を向上させることができる。
【００２４】
本発明の上記及びその他の目的、特徴と利点をより明確にするため、以下はその好ましい実施例について、図面を参照しながら詳しく説明する。
【図面の簡単な説明】
【００２５】
【図１】本発明の一実施例の照明システムの概略図である。
【図２】本発明の一実施例において、波長変換素子と第一励起光源を整合して一つの素子とした概略図である。
【図３】本発明の別の実施例の照明システムの概略図である。
【図４】本発明の別の実施例の照明システムの概略図である。
【図５】本発明の別の実施例の照明システムの概略図である。
【図６】本発明の別の実施例の照明システムの概略図である。
【図７】本発明の別の実施例の照明システムの概略図である。
【図８】本発明の別の実施例の照明システムの概略図である。
【図９】本発明の別の実施例の照明システムの概略図である。
【図１０】本発明の別の実施例の照明システムの概略図である。
【図１１】本発明の一実施例の投影装置の概略図である。
【発明を実施するための形態】
【００２６】
本発明の上記及びその他の技術内容、特徴と効果について、以下は図面を参照しながら、その好ましい実施例の詳細説明において明確にする。以下の実施例において用いる方向用語、例えば上、下、左、右、前又は後は図面を参照する方向のみを示す。従って、これらの方向用語は本発明を限定するものではない。
【００２７】
図１は本発明の一実施例の照明システムの概略図である。図１が示すように、本実施例の照明システム１０は光源アセンブリ１００を含み、該光源アセンブリ１００は第一励起光源１１０、第二励起光源１２０、ダイクロイック素子１３０、波長変換素子１４０、第一コリメータ素子１５０及び第二コリメータ素子１６０を含む。第一励起光源１１０は第一励起光束Ｃ１を提供し、第二励起光源１２０は第二励起光束Ｃ２を提供し、第一励起光束Ｃ１と第二励起光束Ｃ２が同じ色であり、例えば青色である。第一励起光束Ｃ１と第二励起光束Ｃ２の波長が所定の波長範囲内にあり、例えば４５０−４７５ｎｍの青色光の波長範囲にある。ダイクロイック素子１３０は第一励起光源１１０と第二励起光源１２０との間に配置され、ダイクロイック素子１３０は例えばダイクロイックミラー（Ｄｉｃｈｒｏｉｃ  ｍｉｒｒｏｒ）であり、第二励起光束Ｃ２はダイクロイック素子１３０を経由して第一励起光源１１０へ伝送される。波長変換素子１４０は第一励起光源１１０とダイクロイック素子１３０との間に配置され、第一励起光束Ｃ１と第二励起光束Ｃ２を波長変換光束Ｄに変換し、かつ波長変換光束Ｄをダイクロイック素子１３０へ伝送する。第一コリメータ素子１５０は波長変換素子１４０とダイクロイック素子１３０との間に配置され、第二コリメータ素子１６０は第二励起光源１２０とダイクロイック素子１３０との間に配置されている。
【００２８】
上記波長変換素子１４０と第一励起光源１１０は例えば分離した二つの素子であり、互いに一定の距離があるが、この距離が波長変換素子１４０とダイクロイック素子１３０との距離以下である。第一励起光源１１０は発光ダイオード、レーザ光源又はその他の適切な光源であり、第二励起光源１２０も発光ダイオード、レーザ光源又はその他の適切な光源であってもよい。波長変換素子１４０は例えば波長変換材料層１４１とダイクロイック層１４２を含み、そのダイクロイック層１４２が波長変換材料層１４１の上に配置され、かつ第一励起光源１１０に近接している。波長変換材料層１４１は、蛍光体又は燐光体などの波長変換材料を含むが、これらに限定されず、第一励起光束Ｃ１と第二励起光束Ｃ２を吸収して、波長変換光束Ｄを発するものである。ダイクロイック層１４２は第一励起光束Ｃ１を通過させて波長変換材料層１４１まで伝送する。波長変換材料が発する波長変換光束Ｄが各方向へ伝送され、一部がダイクロイック素子１３０へ伝送され、一部がダイクロイック層１４２へ伝送されるため、ダイクロイック層１４２を利用してダイクロイック層１４２へ伝送された波長変換光束Ｄを反射することにより、波長変換光束Ｄがダイクロイック素子１３０へ伝送されるようガイドして、波長変換光束Ｄがダイクロイック素子１３０まで伝送される光の総量を向上させることができる。
【００２９】
本実施例において、第一励起光源１１０と第二励起光源１２０は例えばダイクロイック素子１３０の両側に配置され、ダイクロイック素子１３０が第二励起光束Ｃ２を通過させるとともに、波長変換光束Ｄを反射する。第二励起光束Ｃ２はダイクロイック素子１３０を通過した後、波長変換材料層１４１のダイクロイック素子１３０に面した側まで伝送され、第一励起光束Ｃ１はダイクロイック層１４２を通過した後、波長変換材料層１４１のダイクロイック層１４２に面した側まで伝送される。本実施例において、第一励起光束Ｃ１と第二励起光束Ｃ２は波長変換材料層１４１の両側から波長変換材料を励起して発光させるため、エタンデューを増加させることなく、波長変換光束Ｄの出力を向上させることができる。
【００３０】
上記第一コリメータ素子１５０と第二コリメータ素子１６０は例えば同じ構造である。例えば、第一コリメータ素子１５０は例えばコリメータレンズ１５１とレンズ１５２を含み、レンズ１５２がコリメータレンズ１５１とダイクロイック素子１３０との間に配置され、第二コリメータ素子１６０は例えばコリメータレンズ１６１とレンズ１６２を含み、レンズ１６２がコリメータレンズ１６１とダイクロイック素子１３０との間に配置されている。コリメータレンズ１５１とコリメータレンズ１６１の形状が同じであり、レンズ１５２とレンズ１６２の形状が同じである。しかし、本発明は第一コリメータ素子１５０と第二コリメータ素子１６０の具体構造について限定せず、コリメータレンズとレンズの数についても限定しない。設計者は、実際の必要に応じて、異なるコリメータレンズとレンズの構成を提供することができる。また、第二励起光束Ｃ２が第二励起光源１２０からダイクロイック素子１３０までの光路の長さは、波長変換光束Ｄが波長変換素子１４０からダイクロイック素子１３０までの光路の長さに等しい。第一コリメータ素子１５０と第二コリメータ素子１６０が第二励起光束Ｃ２の照射範囲に対する制御により、第二励起光束Ｃ２が波長変換素子１４０に照射するライトスポットは第二励起光束Ｃ２が第二励起光源１２０の出光面１２１から出射される時のライトスポットに近似する。一実施例において、第二励起光源１２０の出光面１２１の形状及び面積は波長変換素子１４０の出光面１４３の形状及び面積と同じであり、これにより第二励起光束Ｃ２は波長変換素子１４０のほぼ全体をカバーすることが可能であり、光利用率を向上させ、光ロスを回避することができる。
【００３１】
上記の第一励起光束Ｃ１、第二励起光束Ｃ２及び波長変換光束Ｄの色の組み合わせを必要に応じて決めることが可能であり、例えば、以下の組み合わせの中の一つであってもよい。（１）第一励起光束Ｃ１と第二励起光束Ｃ２が青色光であり、波長変換光束Ｄが緑色光である。（２）第一励起光束Ｃ１と第二励起光束Ｃ２が青色光であり、波長変換光束Ｄが赤色光である。（３）第一励起光束Ｃ１と第二励起光束Ｃ２が青色光であり、波長変換光束Ｄが黄色光である。及び、（４）第一励起光束Ｃ１と第二励起光束Ｃ２が紫外光であり、波長変換光束Ｄが白色光である。
【００３２】
本実施例の照明システム１０はさらに、波長変換光束Ｄがダイクロイック素子１３０を経由した後の伝送経路上に配置されたその他の光学素子を含む。光学素子は光均一化素子（例えば、インテグレータロッド又はレンズアレイ）、レンズ又は反射ミラーなどを含むことが可能であり、かつ光学素子の数が一つ又は複数であってもよい。図１はインテグレータロッド１１の例を示しており、波長変換光束Ｄがダイクロイック素子１３０を経由してインテグレータロッド１１まで伝送される。一実施例において、波長変換光束Ｄを十分取り込めるよう、インテグレータロッド１１の入光端１１ａの面積と波長変換素子１４０の出光面１４３の面積の比率が例えば０.９から１.１の間にあり、入光端１１ａの形状が例えば出光面１４３の形状とほぼ同じである。
【００３３】
上記実施例において波長変換素子１４０と第一励起光源１１０は例えば分離した二つの素子であるが、別の実施例において波長変換素子が第一励起光源上に貼り付けられてもよい。例えば、波長変換素子を第一励起光源内に設置してもよい。図２が示す別の実施例において、波長変換素子と第一励起光源とが一つの素子に整合され、該素子は順に積層された導電担体６１０、反射層６２０、正孔伝送層６３０、発光層６４０、電子伝送層６５０及び波長変換層６６０を含み、かつ、正孔伝送層６３０と電子伝送層６５０との位置を互換可能である。正孔伝送層６３０と電子伝送層６５０が提供する正孔と電子が発光層６４０において混合されて光子が発生し、光線６４１を出射すると、反射層６２０へ伝送された一部の光線６４１が波長変換層６６０まで反射される。波長変換層６６０へ出射されたこれらの光線６４１は即ち第一励起光束Ｃ１であり、波長変換層６６０は第一励起光束Ｃ１を波長変換光束Ｄに変換し、反射層６２０へ伝送された一部の波長変換光束Ｄも反射によって波長変換層６６０からこの素子を離れる。
【００３４】
図３は本発明の別の実施例の照明システムの概略図である。図３が示すように、本実施例の照明システム１０ａは図１の照明システム１０に類似するため、以下は相違点のみについて説明する。本実施例の照明システム１０ａにおいて、光源アセンブリ１００ａの第一励起光源１１０と第二励起光源１２０がダイクロイック素子１３０ａの同一側に配置され、かつダイクロイック素子１３０ａが第二励起光束Ｃ２を反射するとともに、波長変換光束Ｄを通過させる。
【００３５】
図４は本発明の別の実施例の照明システムの概略図である。図４が示すように、本実施例の照明システム１０ｂは図１の照明システム１０に類似するため、以下はその相違点のみについて説明する。照明システム１０に比べて、本実施例の照明システム１０ｂはさらにカラーホイール１２を含む。該カラーホイール１２はダイクロイック素子１３０に反射された波長変換光束Ｄの伝送経路上に配置されている。本実施例において、第一励起光源１１０が提供する第一励起光束Ｃ１と第二励起光源１２０が提供する第二励起光束Ｃ２が紫外光であり、波長変換素子１４０が発する波長変換光束Ｄが白色光である。カラーホイール１２が一回転する毎に波長変換光束Ｄを順にフィルタリングして異なる色の多種の光束、例えば赤色光束Ｒ、緑色光束Ｇ及び青色光束Ｂに変えて、時間順にインテグレータロッド１１まで伝送する。本発明はカラーホイール１２によってフィルタリングされた後の光束の色及び異なる色の光束の発生順について限定しない。
【００３６】
図５は本発明の別の実施例の照明システムの概略図である。図５が示すように、本実施例の照明システム１０ｃは図４の照明システム１０ｂに類似するため、以下はその相違点のみについて説明する。本実施例の照明システム１０ｃにおいて、光源アセンブリ１００ａの第一励起光源１１０と第二励起光源１２０がダイクロイック素子１３０ａの同一側に配置され、かつダイクロイック素子１３０ａは第二励起光束Ｃ２を反射するとともに、波長変換光束Ｄを通過させてカラーホイール１２まで伝送する。
【００３７】
図６は本発明の別の実施例の照明システムの概略図である。図６が示すように、本実施例の照明システム１０ｄは図４の照明システム１０ｂに類似するため、以下はその相違点のみについて説明する。本実施例の照明システム１０ｄにおいて、第一励起光源１１０が提供する第一励起光束Ｃ１と第二励起光源１２０が提供する第二励起光束Ｃ２は青色光であり、波長変換素子１４０が発する波長変換光束Ｄは黄色光である。また、照明システム１０ｄはさらに第一青色光束Ｂ１を提供する青色光源アセンブリ１３を含み、該青色光源アセンブリ１３と第二励起光源１２０がダイクロイック素子１３０の同一側に配置され、該第一青色光束Ｂ１がダイクロイック素子１３０を通過して波長変換光束Ｄと混合することにより白色光束Ｗになり、白色光束Ｗがカラーホイール１２まで伝送される。青色光源アセンブリ１３は例えば青色光源１３ａとコリメータ素子１３ｂを含み、青色光源１３ａが発光ダイオード、レーザ光源又はその他の適切な光源である。コリメータ素子１３ｂは第一コリメータ素子１５０及び第二コリメータ素子１６０と同じ構造であってもよい。
【００３８】
図７は本発明の別の実施例の照明システムの概略図である。図７が示すように、本実施例の照明システム１０ｅは図６の照明システム１０ｄに類似するため、以下はその相違点のみについて説明する。本実施例の照明システム１０ｅにおいて、光源アセンブリ１００ａの第一励起光源１１０と第二励起光源１２０がダイクロイック素子１３０ａの同一側に配置され、かつダイクロイック素子１３０ａは第二励起光束Ｃ２を反射するとともに、波長変換光束Ｄを通過させてカラーホイール１２まで伝送する。青色光源アセンブリ１３と第二励起光源１２０はダイクロイック素子１３０ａの両側に配置され、青色光源アセンブリ１３はダイクロイック素子１３０ａへ第二青色光束Ｂ２を提供し、第二青色光束Ｂ２はダイクロイック素子１３０ａに反射されて波長変換光束Ｄと混合して白色光束Ｗになり、白色光束Ｗはカラーホイール１２まで伝送される。
【００３９】
上記各実施例の照明システム１０−１０ｅはそれぞれ一つの光源アセンブリ１００又は１００ａのみを含むが、本発明のその他の実施例において、照明システムが上記光源アセンブリ１００又は１００ａと同じ構造の光源アセンブリを複数含んでもよい。
【００４０】
図８は本発明の別の実施例の照明システムの概略図である。図８が示すように、本実施例の照明システム２０は、第一色光束Ｌ１を提供する第一光源アセンブリ２００、第二色光束Ｌ２を提供する第二光源アセンブリ３００及び第三色光束Ｌ３を提供する第三光源アセンブリ４００を含み、かつ第一色光束Ｌ１、第二色光束Ｌ２と第三色光束Ｌ３が混合されて照明光束Ｌ４になる。第一光源アセンブリ２００は第一励起光源２１０、第二励起光源２２０、第一ダイクロイック素子２３０及び第一波長変換素子２４０を含む。第一励起光源２１０は第一励起光束Ｃ１を提供し、第二励起光源２２０は第二励起光束Ｃ２を提供し、第一励起光束Ｃ１と第二励起光束Ｃ２が同じ色である。第一ダイクロイック素子２３０は第一励起光源２１０と第二励起光源２２０との間に配置され、第二励起光束Ｃ２が第一ダイクロイック素子２３０を経由して第一励起光源２１０へ伝送される。第一波長変換素子２４０は第一励起光源２１０と第一ダイクロイック素子２３０との間に配置され、第一励起光束Ｃ１と第二励起光束Ｃ２を第一波長変換光束に変換し、かつ第一波長変換光束を第一ダイクロイック素子２３０へ伝送し、第一波長変換光束は上記第一色光束Ｌ１である。
【００４１】
上記の第二光源アセンブリ３００は例えば第三励起光源３１０、第四励起光源３２０、第二ダイクロイック素子３３０及び第二波長変換素子３４０を含む。第三励起光源３１０は第三励起光束Ｃ３を提供し、第四励起光源３２０は第四励起光束Ｃ４を提供し、かつ、第三励起光束Ｃ３と第四励起光束Ｃ４が同じ色である。第二ダイクロイック素子３３０は第三励起光源３１０と第四励起光源３２０との間に配置され、第四励起光束Ｃ４が第二ダイクロイック素子３３０を経由して第三励起光源３１０へ伝送される。第二波長変換素子３４０は第三励起光源３１０と第二ダイクロイック素子３３０との間に配置され、第三励起光束Ｃ３と第四励起光束Ｃ４を第二波長変換光束に変換し、かつ第二波長変換光束を第二ダイクロイック素子３３０へ伝送し、第二波長変換光束が上記第二色光束Ｌ２である。
【００４２】
上記第三光源アセンブリ４００は例えば第三色光束Ｌ３を提供する光源４１０を含み、該光源４１０は発光ダイオード、レーザ光源又はその他の適切な光源である。第三光源アセンブリ４００はさらに、第三色光束Ｌ３の伝送経路上に配置されたコリメータ素子４２０を含んでもよい。
【００４３】
本実施例において、第一光源アセンブリ２００と第二光源アセンブリ３００の構造が上記光源アセンブリ１００の構造と類似してもよい。第一波長変換素子２４０及び第二波長変換素子３４０の構造が上記波長変換素子１４０と同じでもよい。一実施例において、第一波長変換素子２４０及び第二波長変換素子３４０はそれぞれ第一励起光源２１０及び第三励起光源３１０の上を被覆する。別の実施例において、第一波長変換素子と第一励起光源を整合して図２が示す一つの素子に類似するものにしてもよく、第二波長変換素子と第三励起光源も整合して図２が示す一つの素子に類似するものにしてもよい。また、第一励起光源２１０、第二励起光源２２０、第三励起光源３１０及び第四励起光源３２０はそれぞれ発光ダイオード、レーザ光源又はその他の適切な光源であってもよい。また、第一光源アセンブリ２００はさらに、第一波長変換素子２４０と第一ダイクロイック素子２３０との間に配置された第一コリメータ素子２５０、及び、第二励起光源２２０と第一ダイクロイック素子２３０との間に配置された第二コリメータ素子２６０を含んでもよい。第二光源アセンブリ３００はさらに、第二波長変換素子３４０と第二ダイクロイック素子３３０との間に配置された第三コリメータ素子３５０、及び、第四励起光源３２０と第二ダイクロイック素子３３０との間に配置された第四コリメータ素子３６０を含んでもよい。
【００４４】
本実施例において、上記第二ダイクロイック素子３３０は第一ダイクロイック素子２３０と第三光源アセンブリ４００との間に配置され、第三色光束Ｌ３は第二ダイクロイック素子３３０と第一ダイクロイック素子２３０を順に通過する。第三励起光源３１０と第四励起光源３２０は第二ダイクロイック素子３３０の両側に配置され、第二ダイクロイック素子３３０は第四励起光束Ｃ４を通過させるとともに、第二色光束Ｌ２を第一ダイクロイック素子２３０へ反射させ、かつ第一ダイクロイック素子２３０は第二色光束Ｌ２を通過させる。第一励起光源２１０と第二励起光源２２０は第一ダイクロイック素子２３０の両側に配置され、第一ダイクロイック素子２３０が第二励起光束Ｃ２を通過させるとともに、第一色光束Ｌ１を反射することにより、第一色光束Ｌ１、第二色光束Ｌ２及び第三色光束Ｌ３が混合されて照明光束Ｌ４になる。
【００４５】
本実施例において、第一励起光束Ｃ１、第二励起光束Ｃ２、第三励起光束Ｃ３及び第四励起光束Ｃ４の色が例えば青色であるが、これに限定されない。第一色光束Ｌ１は例えば緑色光であり、第二色光束Ｌ２は例えば赤色光であり、第三色光束Ｌ３は例えば青色光であるが、本発明はこれに限定されない。別の実施例において、第一色光束Ｌ１と第二色光束Ｌ２の色が入れ替わってもよい。さらに、第一光源アセンブリ２００、第二光源アセンブリ３００と第三光源アセンブリ４００は同時に発光しても又は同時に発光しなくてもよい。例えば、第一光源アセンブリ２００、第二光源アセンブリ３００及び第三光源アセンブリ４００は時間順に第一色光束Ｌ１、第二色光束Ｌ２及び第三色光束Ｌ３を提供して、照明光束Ｌ４が同一時間において第一色光束Ｌ１、第二色光束Ｌ２及び第三色光束Ｌ３の中の一つのみを含んでもよい。別の実施例において、第一光源アセンブリ２００、第二光源アセンブリ３００と第三光源アセンブリ４００が同時に第一色光束Ｌ１、第二色光束Ｌ２と第三色光束Ｌ３を提供して、照明光束Ｌ４は同一時間における第一色光束Ｌ１、第二色光束Ｌ２と第三色光束Ｌ３が混合されたものであってもよい。
【００４６】
第一光源アセンブリ２００と第二光源アセンブリ３００はその構造が上記光源アセンブリ１００の構造に類似するため、エタンデューを増加させることなく、第一色光束Ｌ１と第二色光束Ｌ２の光エネルギーを向上させることができる。また、本実施例の照明システム２０はさらに、照明光束Ｌ４の伝送経路上に配置されたその他の光学素子を含んでもよい。光学素子は光均一化素子（例えば、インテグレータロッド又はレンズアレイ）、レンズ又は反射ミラーなどを含み、かつ光学素子の数が一つ又は複数であってもよく、図８はインテグレータロッド２１の例を示している。また、必要であれば、第一ダイクロイック素子２３０と第二ダイクロイック素子３３０との間にその他の光学素子を増設してもよい。図９の例において、照明システム２０ａはさらに、第一ダイクロイック素子２３０と第二ダイクロイック素子３３０との間に配置された少なくとも一つのレンズ２５を含む。図９はレンズ２５が二つある例を示しているが、本発明はレンズ２５又はその他の光学素子の数について限定しない。
【００４７】
図１０は本発明の別の実施例の照明システムの概略図である。図１０が示すように、本実施例の照明システム２０ｂは図８の照明システム２０に類似するため、以下は相違点のみについて説明する。本実施例の照明システム２０ｂはさらに、第一光源アセンブリ２００ａ、第二光源アセンブリ３００ａと第三光源アセンブリ４００との間に配置された光合成素子２６を含み、かつ第一光源アセンブリ２００ａと第三光源アセンブリ４００はそれぞれ光合成素子２６の対向する両側に配置されている。光合成素子２６は第一色光束Ｌ１と第三色光束Ｌ３を反射するとともに、第二色光束Ｌ２を通過させることにより、第一色光束Ｌ１、第二色光束Ｌ２と第三色光束Ｌ３が混合されて照明光束Ｌ４になる。光合成素子２６はＸ型光合成板又はＸ型光合成プリズムなどである。
【００４８】
本実施例において、第一光源アセンブリ２００ａ及び第二光源アセンブリ３００ａは図３の光源アセンブリ１００ａに類似する。即ち、第一光源アセンブリ２００ａにおいて、第一励起光源２１０と第二励起光源２２０は第一ダイクロイック素子２３０ａの同一側に配置され、第一ダイクロイック素子２３０ａは第二励起光束Ｃ２を反射するとともに、第一色光束Ｌ１を通過させて光合成素子２６まで伝送する。第三励起光源３１０と第四励起光源３２０は第二ダイクロイック素子３３０ａの同一側に配置され、第二ダイクロイック素子３３０ａは第四励起光束Ｃ４を反射するとともに、第二色光束Ｌ２を通過させて光合成素子２６まで伝送する。
【００４９】
図１１は本発明の実施例の投影装置の概略図である。図１１が示すように、本実施例の投影装置５００は図１の照明システム１０、ライトバルブ１７０及び投影レンズ１８０を含む。照明システム１０の提供する波長変換光束Ｄが光均一化素子（例えば、インテグレータロッド又はレンズアレイ）１１まで伝送された後、光均一化素子１１は波長変換光束Ｄに対し光均一化を行い、そして波長変換光束Ｄをライトバルブ１７０に均一に照射する。ここで、ライトバルブ１７０は波長変換光束Ｄを映像光束Ｍに変換することができる、例えば、デジタルマイクロミラーデバイス（ＤＭＤ）、反射型液晶素子（ＬＣＯＳ）又はその他の適切な素子であり、映像光束Ｍが投影レンズ１８０を透過してスクリーン（図示せず）に投影される。
【００５０】
以上のように、本発明の実施例の照明システムにおいて、光源アセンブリがそれぞれ励起光束を提供する二つの励起光源を含み、波長変換素子の対向する両側からそれぞれ波長変換素子を励起させて波長変換光束を発光させるため、エタンデューを増加させることなく、波長変換光束の光エネルギーを向上させることが可能で、さらに本発明の照明システムが提供する光束の光エネルギーを向上させることができる。
【００５１】
以上は本発明の好ましい実施例のみであり、本発明の実施の範囲はこれらに限定されることだけではなく、本発明の請求項及び明細書の説明内容に基づいて簡単に行える変更及び修正も本発明の特許請求の範囲内に属する。また、本発明の任意の実施例又は請求項は必ずしも本発明が開示した全ての目的又は利点や特徴を達成する必要がない。さらに、要約書及びタイトルは特許文献検索の用のみに供するものであり、本発明の権利範囲を限定するものではない。従って、本明細書又は特許請求の範囲において用いる「第一」、「第二」、「第三」、「第四」などの用語は素子（ｅｌｅｍｅｎｔ）を命名する名称又は異なる実施例や範囲を区別するためのものであり、素子の数量の上限又は下限を限定するものではない。
【符号の説明】
【００５２】
１０、１０ａ、１０ｂ、１０ｃ、１０ｄ、１０ｅ、２０、２０ａ、２０ｂ    照明システム
１１、２１    インテグレータロッド
１１ａ    入光端
１２    カラーホイール
１３    青色光源アセンブリ
１３ａ    青色光源
１３ｂ、４２０    コリメータ素子
２５、１５２、１６２    レンズ
２６    光合成素子
１００、１００ａ    光源アセンブリ
１１０、２１０    第一励起光源
１２０、２２０    第二励起光源
１２１    出光面
１３０、１３０ａ    ダイクロイック素子
１４０    波長変換素子
１４１    波長変換材料層
１４２    ダイクロイック層
１４３    出光面
１５０、２５０    第一コリメータ素子
１５１、１６１    コリメータレンズ
１６０、２６０    第二コリメータ素子
１７０    ライトバルブ
１８０    投影レンズ
２００、２００ａ    第一光源アセンブリ
２３０、２３０ａ    第一ダイクロイック素子
２４０    第一波長変換素子
３００、３００ａ    第二光源アセンブリ
３１０    第三励起光源
３２０    第四励起光源
３３０、３３０ａ    第二ダイクロイック素子
３４０    第二波長変換素子
３５０    第三コリメータ素子
３６０    第四コリメータ素子
４００    第三光源アセンブリ
４１０    光源
５００    投影装置
６１０    導電担体
６２０    反射層
６３０    正孔伝送層
６４０    発光層
６４１    光線
６５０    電子伝送層
６６０    波長変換層
Ｂ  青色光束
Ｂ１    第一青色光束
Ｂ２    第二青色光束
Ｃ１    第一励起光束
Ｃ２    第二励起光束
Ｃ３    第三励起光束
Ｃ４    第四励起光束
Ｄ    波長変換光束
Ｇ    緑色光束
Ｌ１    第一色光束
Ｌ２    第二色光束
Ｌ３    第三色光束
Ｌ４    照明光束
Ｍ    映像光束
Ｒ    赤色光束
【図１】
2017058656.tif 000003
【図２】
2017058656.tif 000004
【図３】
2017058656.tif 000005
【図４】
2017058656.tif 000006
【図５】
2017058656.tif 000007
【図６】
2017058656.tif 000008
【図７】
2017058656.tif 000009
【図８】
2017058656.tif 000010
【図９】
2017058656.tif 000011
【図１０】
2017058656.tif 000012
【図１１】
2017058656.tif 000013